(57)【要約】【課題】  交換レンズのイメージサイズの相違によるケラレ等を防止した電子カメラを提供する。【解決手段】  撮影レンズを交換可能な電子カメラであって、前記撮影レンズのイメージサークルデータを取得するレンズデータ取得部と、前記撮影レンズによる被写体像を光電変換して画像信号を生成する有効画素領域を備えた撮像センサと、前記画像信号に基づいて撮影画像データを生成する画像処理部と、前記撮影画像データの生成に使用する撮影使用領域を前記有効画素領域から設定する画像サイズ設定手段と、を有し、前記画像サイズ設定手段は、前記イメージサークルデータに対応するレンズ側有効イメージサイズに基づいて前記撮影使用領域を設定し、前記撮像センサは、前記有効画素領域の画像信号のうち、前記撮影使用領域を含む部分領域の画像信号を前記画像処理部に出力することを特徴とする。【選択図】  図１
2005277963.tif 000002
【特許請求の範囲】
【請求項１】
撮影レンズを交換可能な電子カメラであって、
前記撮影レンズのイメージサークルデータを取得するレンズデータ取得部と、前記撮影レンズによる被写体像を光電変換して画像信号を生成する有効画素領域を備えた撮像センサと、前記画像信号に基づいて撮影画像データを生成する画像処理部と、前記撮影画像データの生成に使用する撮影使用領域を前記有効画素領域から設定する画像サイズ設定手段と、を有し、
前記画像サイズ設定手段は、前記イメージサークルデータに対応するレンズ側有効イメージサイズに基づいて前記撮影使用領域を設定し、
前記撮像センサは、前記有効画素領域の画像信号のうち、前記撮影使用領域を含む部分領域の画像信号を前記画像処理部に出力することを特徴とする電子カメラ。
【請求項２】
撮影レンズを交換可能な電子カメラであって、
前記撮影レンズのＭＴＦ特性データを取得するレンズデータ取得部と、前記撮影レンズによる被写体像を光電変換して画像信号を生成する有効画素領域を備えた撮像センサと、前記画像信号に基づいて撮影画像データを生成する画像処理部と、前記撮影画像データの生成に使用する撮影使用領域を前記有効画素領域から設定する画像サイズ設定手段と、を有し、
前記画像サイズ設定手段は、前記ＭＴＦ特性データから求まるレンズ側有効イメージサイズに基づいて前記撮影使用領域を設定することを特徴とする電子カメラ。
【請求項３】
撮影レンズを交換可能な電子カメラであって、
前記撮影レンズの周辺光量データを取得するレンズデータ取得部と、前記撮影レンズによる被写体像を光電変換して画像信号を生成する有効画素領域を備えた撮像センサと、前記画像信号に基づいて撮影画像データを生成する画像処理部と、前記撮影画像データの生成に使用する撮影使用領域を前記有効画素領域から設定する画像サイズ設定手段と、を有し、
前記画像サイズ設定手段は、前記周辺光量データから求まるレンズ側有効イメージサイズに基づいて前記撮影使用領域を設定することを特徴とする電子カメラ。
【請求項４】
前記撮像センサは、前記有効画素領域の画像信号のうち、前記撮影使用領域を含む部分領域の画像信号を前記画像処理部に出力することを特徴とする請求項２または請求項３に記載の電子カメラ。
【請求項５】
前記画像サイズ設定手段は、撮影者の入力により前記撮影使用領域を設定可能であって、
前記撮影使用領域が前記レンズ側有効イメージサイズからはみ出す場合に撮影者に対して警告する警告手段をさらに有することを特徴とする請求項１から請求項４のいずれか１項に記載の電子カメラ。
【請求項６】
撮影時に被写体像を視認するためのファインダ部をさらに有し、前記ファインダ部に前記撮影使用領域が表示されることを特徴とする請求項１から請求項５のいずれか１項に記載の電子カメラ。
【発明の詳細な説明】
【技術分野】
【０００１】
本発明はレンズ交換式の電子カメラにおいて、特に交換レンズのイメージサークルの相違によるケラレ等のない撮影画像を得ることのできる電子カメラに関する。
【背景技術】
【０００２】
従来から、レンズ交換可能な電子カメラでは、カメラ本体および交換レンズのイメージサイズ毎にマウント径を変更して、カメラ本体のイメージサイズと異なる交換レンズを装着不能とする場合がある。しかし、この場合には交換レンズの汎用性が乏しくなるため、マウントの共通化によって、イメージサイズの異なるカメラ本体および交換レンズの組み合わせを許容することも考えられる。
【０００３】
ここで、マウントを共通化した場合、交換レンズのイメージサイズがカメラ本体のイメージサイズより大きければ、カメラ本体は通常のイメージサイズの撮影画像を得ることができるので特に問題はない。一方、交換レンズのイメージサイズがカメラ本体のイメージサイズより小さければ、光束のケラレ等の問題が発生する。
この点について、特許文献１および特許文献２には、小さなイメージサイズの交換レンズを、大きなイメージサイズのカメラ本体には機械的に装着不能とする構成の電子カメラが開示されている。
【０００４】
また、特許文献３では、交換レンズとカメラ本体を電気的に接続し、レンズ側に記録された交換レンズのイメージサイズに関連する情報に基づいて、カメラ本体側のイメージサイズに対して交換レンズのイメージサイズが適合しないと判定された場合に、警告を発する構成の電子カメラが開示されている。
さらに、特許文献４には、カメラ本体側のイメージサイズに対してイメージサイズの小さいレンズを装着した場合のホワイトバランス調整に関する技術が開示されている。この特許文献４では、交換レンズのイメージサイズを電子ズームでカメラ本体に適合させ、交換レンズのイメージサイズ内における電子ズーム切り出し画像の外側部分の出力をホワイトバランス調整に使用する。
【特許文献１】特開平２−３３２６７号公報
【特許文献２】特開平２−３３２６８号公報
【特許文献３】特開平２−３９７７７号公報
【特許文献４】特開２００３−９１６３号公報
【発明の開示】
【発明が解決しようとする課題】
【０００５】
しかし、特許文献１から特許文献３は、いずれもカメラ本体に対して交換レンズのイメージサイズが適合しない場合に、その交換レンズの装着を回避することで上記のケラレ等の発生を防止するものである。したがって、これらの技術では交換レンズの汎用性が十分に確保されたわけではない。また、特許文献４では、切り出し画像の外側部分の出力を必要とするため画像処理の演算負荷が増大する。特に、切り出し画像の外側にホワイトバランス調整に利用できる画像がない場合には、この切り出し画像の外側部分の画像処理は無駄となるのでなお改善の余地がある。
【０００６】
また、交換レンズの光学的な特性によって、イメージサイズの外縁付近で解像性能が低くなる場合や周辺光量の低下が表れる場合もある。これらの場合にも、上記のケラレの場合と同様の対策が切望されている。
本発明は、上記従来技術の課題を解決するためのものであり、その目的は、交換レンズの汎用性を確保してケラレ等のない良好な撮影画像を得ることができる電子カメラを提供することである。
【課題を解決するための手段】
【０００７】
請求項１の発明は、撮影レンズを交換可能な電子カメラであって、前記撮影レンズのイメージサークルデータを取得するレンズデータ取得部と、前記撮影レンズによる被写体像を光電変換して画像信号を生成する有効画素領域を備えた撮像センサと、前記画像信号に基づいて撮影画像データを生成する画像処理部と、前記撮影画像データの生成に使用する撮影使用領域を前記有効画素領域から設定する画像サイズ設定手段と、を有し、前記画像サイズ設定手段は、前記イメージサークルデータに対応するレンズ側有効イメージサイズに基づいて前記撮影使用領域を設定し、前記撮像センサは、前記有効画素領域の画像信号のうち、前記撮影使用領域を含む部分領域の画像信号を前記画像処理部に出力することを特徴とする。
【０００８】
請求項２の発明は、撮影レンズを交換可能な電子カメラであって、前記撮影レンズのＭＴＦ特性データを取得するレンズデータ取得部と、前記撮影レンズによる被写体像を光電変換して画像信号を生成する有効画素領域を備えた撮像センサと、前記画像信号に基づいて撮影画像データを生成する画像処理部と、前記撮影画像データの生成に使用する撮影使用領域を前記有効画素領域から設定する画像サイズ設定手段と、を有し、前記画像サイズ設定手段は、前記ＭＴＦ特性データから求まるレンズ側有効イメージサイズに基づいて前記撮影使用領域を設定することを特徴とする。
【０００９】
請求項３の発明は、撮影レンズを交換可能な電子カメラであって、前記撮影レンズの周辺光量データを取得するレンズデータ取得部と、前記撮影レンズによる被写体像を光電変換して画像信号を生成する有効画素領域を備えた撮像センサと、前記画像信号に基づいて撮影画像データを生成する画像処理部と、前記撮影画像データの生成に使用する撮影使用領域を前記有効画素領域から設定する画像サイズ設定手段と、を有し、前記画像サイズ設定手段は、前記周辺光量データから求まるレンズ側有効イメージサイズに基づいて前記撮影使用領域を設定することを特徴とする。
【００１０】
請求項４の発明は、請求項２または請求項３の発明において、前記撮像センサは、前記有効画素領域の画像信号のうち、前記撮影使用領域を含む部分領域の画像信号を前記画像処理部に出力することを特徴とする。
請求項５の発明は、請求項１から請求項４の発明において、前記画像サイズ設定手段は、撮影者の入力により前記撮影使用領域を設定可能であって、前記撮影使用領域が前記レンズ側有効イメージサイズからはみ出す場合に撮影者に対して警告する警告手段をさらに有することを特徴とする。
【００１１】
請求項６の発明は、請求項１から請求項５の発明において、撮影時に被写体像を視認するためのファインダ部をさらに有し、前記ファインダ部に前記撮影使用領域が表示されることを特徴とする。
【発明の効果】
【００１２】
本発明によれば、撮影レンズのレンズデータ（イメージサークルデータ、ＭＴＦ特性データ、周辺光量データ）に対応するレンズ側有効イメージサイズに基づいて、撮像センサの撮影使用領域を設定するので、特性の異なる撮影レンズにおいてケラレ等のない良好な撮影画像を得ることができる。すなわち、本発明の電子カメラでは、マウントが共通する撮影レンズであれば、イメージサークルのサイズ等が異なっていても撮影レンズの互換性を確保することができる。
【発明を実施するための最良の形態】
【００１３】
以下、図面に基づいて本発明の実施の形態を詳細に説明する。
（第１実施形態の構成）
図１は第１実施形態の電子カメラの概要図である（請求項１、請求項５および請求項６の電子カメラに対応する）。第１実施形態の電子カメラは、撮影レンズ１００と、撮影レンズ１００を交換可能に取り付けたカメラ本体２００とから構成される。撮影レンズ１００の装着は、撮影レンズ１００側に設けられたレンズ側マウント１と、カメラ本体２００側に設けられた本体側マウント２との両者をネジ機構やバヨネット機構等で結合させることで行う。また、レンズ側マウント１および本体側マウント２にはそれぞれ電気接点が設けられており、撮影レンズ１００の装着時に両者の電気的な接続が確立するようになっている。
【００１４】
撮影レンズ１００は、複数のレンズを組み合わせてなるレンズ系３と、入射光量を制限するための絞り４と、レンズマイコン５と、これらを組み込んだ鏡筒６とから構成されている。撮影レンズ１００のレンズ系３は、鏡筒６に内蔵された図示しない駆動機構によって光軸方向にズーム駆動する。また、レンズマイコン５には、レンズ系３のズーム位置とレンズ駆動量との対応関係、イメージサークルの大きさ、レンズ系３のズーム位置に対応するＭＴＦ（Modulation Transfer Function）特性、周辺光量の低下量（減光率）などのレンズデータが記録されている。このレンズマイコン５のレンズデータは、撮影レンズ１００のレンズ側マウント１の電気接点を通じてカメラ本体２００に出力される。
【００１５】
カメラ本体２００には、クイックリターンミラー７と、フォーカルプレーンシャッタ８と、撮像センサ９とが、撮影レンズ１００の光軸に沿って配置されている。また、カメラ本体２００は、Ａ／Ｄ変換部１０と、画像処理部１１と、メモリ１２および記録媒体１３と、モニタ１４と、撮影画像データ等を伝達するデータバス１５と、ＣＰＵ１６とを有している。さらに、クイックリターンミラー７の上側にはファインダ光学系が配置されている。
【００１６】
クイックリターンミラー７は、フォーカルプレーンシャッタ８および撮像センサ９の前方に傾斜配置され、レリーズ時には上方に跳ね上げられて撮影光路から待避する。一方、通常時に撮影レンズ１００を通過した光束は、クイックリターンミラー７によって上方に反射されて、ファインダ光学系を介して撮影者の目に到達する。
撮像センサ９の受光面には、被写体像を光電変換してアナログ信号（画像信号、基準信号）を生成する受光素子が２次元配列されている。この撮像センサ９には、受光素子の列単位に垂直読み出し線（図示を省略する）がそれぞれ設けられている。そして、これらの垂直読み出し線の出力端には水平読み出し線９ａが設けられており、この水平読み出し線９ａの出力はＡ／Ｄ変換部１０に接続されている。また、撮像センサ９の受光素子が配列された領域は、画像信号を生成する有効画素領域と、黒レベルの基準信号を生成するオプチカルブラック領域とに区画されている。
【００１７】
撮像センサ９の有効画素領域には、撮影画像データの生成に用いられる撮影使用領域が設定されている。この撮影使用領域は、ＣＰＵ１６の指示によりその範囲が変動する。そして、撮像センサ９は、有効画素領域の画像信号のうち、撮影使用領域を含む部分領域の画像信号をＡ／Ｄ変換部１０を介して画像処理部１１に出力する。例えば、撮像センサ９は、撮影使用領域を含む水平ラインの画像信号のみを読み出すようにしてもよい。また、特に上記のようなＸＹアドレス方式の撮像センサ９では、撮影使用領域の画像信号のみを直接読み出すようにしてもよい。
【００１８】
Ａ／Ｄ変換部１０は、撮像センサ９から出力されたアナログの画像信号をＡ／Ｄ変換して、デジタル画像信号を出力する。画像処理部１１は、デジタル画像信号に補間、階調補正、色分離、ホワイトバランスなどの処理を行って撮影画像データを生成する。メモリ１２には画像処理部１１の出力した撮影画像データが一時待避される。記録媒体１３には撮影画像データが最終的に格納される。モニタ１４には撮影画像データの再生表示や各種表示などが行われる。
【００１９】
ＣＰＵ１６は、カメラ本体２００の各部の動作を制御し、合焦制御、露光制御に必要な各種の演算処理を実行する。また、ＣＰＵ１６は、撮像センサ９の有効画素領域における撮影使用領域の範囲を設定する。この撮影使用領域の設定は、ＣＰＵ１６の自動設定による「自動モード」か、または撮影者の入力に基づく「マニュアルモード」のいずれかで行われる。
【００２０】
上記の「自動モード」では、ＣＰＵ１６は、本体側マウント２の電気接点から撮影レンズ１００のレンズデータを取得する。ＣＰＵ１６は、撮影レンズ１００のイメージサークルデータ（イメージサークルの大きさ）から、現在装着されている撮影レンズ１００のレンズ側有効イメージサイズを取得する。第１実施形態のレンズ側有効イメージサイズは、撮影画像にケラレが発生する範囲を規定するものであり、撮像センサ９の撮影使用領域がレンズ側有効イメージサイズからはみ出す場合には、撮影画像にケラレが発生する。そして、ＣＰＵ１６は、撮影使用領域の対角長がレンズ側有効イメージサイズの直径以下となる条件で撮影使用領域を自動設定する。
【００２１】
一方、上記の「マニュアルモード」では、ＣＰＵ１６は、図示しない入力手段からの入力に基づいて撮影使用領域を設定する。また、ＣＰＵ１６は、マニュアルモードで設定された撮影使用領域の対角長がレンズ側有効イメージサイズの直径を超える場合には、ケラレ発生の警告表示をモニタ１４に出力する。例えば、図２に示すようにレンズ側有効イメージサイズ３０の場合には、入力された撮影使用領域４０、４１、４２のいずれであってもケラレは発生しないので、ＣＰＵ１６は警告表示を行わない。しかし、レンズ側有効イメージサイズ３１に対して撮影使用領域４０が設定された場合や、レンズ側有効イメージサイズ３２に対して撮影使用領域４０、４１が設定された場合にはケラレが発生するので、ＣＰＵ１６は警告表示を行う。
【００２２】
ところで、通常時においてクイックリターンミラー７によって上方に反射した光束は、拡散スクリーン１７上に一旦結像する。その後に、コンデンサレンズ１８、ペンタプリズム１９および接眼レンズ２０を通って撮影者の目に到達する。また、ファインダ光学系には、撮影使用領域の画像サイズに対応する枠表示２５を行うＬＣＤ２１と、バックライト２２とが配置されている。このＬＣＤ２１の枠表示２５の光は、ハーフミラー２３および２４を介して接眼レンズ２０に導かれる。そして、図３に示すように、枠表示２５はファインダの被写界像と重なって撮影者に視認される。
【００２３】
（第１実施形態の動作）
以下、第１実施形態の電子カメラの動作を、図４の流れ図にしたがって説明する。
ステップＳ１０１：撮影者は、撮影レンズ１００をカメラ本体２００に装着して、カメラ本体２００の電源を投入する。
ステップＳ１０２：カメラ本体２００のＣＰＵ１６は、本体側マウント２の電気接点を介して、撮影レンズ１００のレンズマイコン５からイメージサークルデータを取得する。そして、ＣＰＵ１６は現在装着されている撮影レンズ１００のレンズ側有効イメージサイズを演算により取得する。
【００２４】
ステップＳ１０３：ＣＰＵ１６は、撮影使用領域の設定が「自動モード」か否かを判定する。「自動モード」の場合（ＹＥＳ側）には、ＣＰＵ１６はステップＳ１０４に移行する。一方、「マニュアルモード」の場合（ＮＯ側）には、ＣＰＵ１６はステップＳ１０５に移行する。
ステップＳ１０４：ＣＰＵ１６は、撮影使用領域の対角長がレンズ側有効イメージサイズの直径以下となる条件で、撮影使用領域を自動設定する。同時にＣＰＵ１６は、撮影使用領域に対応する範囲の枠表示２５をＬＣＤ２１に行わせる制御信号を生成し、ファインダに枠表示２５を行う。その後、ＣＰＵ１６はステップＳ１０９に移行して撮影を行う。
【００２５】
ステップＳ１０５：撮影者は、カメラ本体２００に設けられた入力手段から、ＣＰＵ１６に撮影使用領域を入力する。同時にＣＰＵ１６は、撮影使用領域に対応する範囲の枠表示２５をＬＣＤ２１に行わせる制御信号を生成し、ファインダに枠表示２５を行う。
ステップＳ１０６：ＣＰＵ１６は、現在装着されている撮影レンズ１００と、撮影者の設定した撮影使用領域との組み合わせでケラレが発生しないか否か（すなわち、撮影使用領域の対角長がレンズ側有効イメージサイズの直径以下か否か）を判定する。ケラレが発生しない場合（ＹＥＳ側）には、ＣＰＵ１６はステップＳ１０９に移行して、入力された撮影使用領域での撮影を行う。一方、ケラレが発生する場合（ＮＯ側）には、ＣＰＵ１６はステップＳ１０７に移行する。
【００２６】
ステップＳ１０７：ＣＰＵ１６は、入力された撮影使用領域による撮影でケラレが発生する旨の警告表示と、撮影使用領域の再設定の有無を撮影者に確認する表示とを、モニタ１４に表示する。
ステップＳ１０８：ＣＰＵ１６は、撮影者が撮影使用領域の再設定を実行するか否かを判定する。再設定する場合（ＹＥＳ側）には、ＣＰＵ１６はステップＳ１０５に戻って撮影者による再入力を待機する。一方、再設定しない場合（ＮＯ側）には、ＣＰＵ１６はステップＳ１０９に移行して、入力された撮影使用領域での撮影を行う。なお、この場合には撮影画像にケラレが発生するが、撮影者がケラレを許容しているので問題は生じない。
【００２７】
ステップＳ１０９：ＣＰＵ１６は、撮影者のシャッタレリーズによりクイックリターンミラー７を跳ね上げて、撮像センサ９に被写体像の光電変換を指示する。撮像センサ９は、有効画素領域の画像信号のうち、上記ステップで設定された撮影使用領域を含む部分領域の画像信号を画像処理部１１に出力する。画像処理部１１は画像信号に基づいて撮影画像データを生成し、撮影画像データは圧縮符号化されて記録媒体１３に格納される。その後、ＣＰＵ１６はクイックリターンミラーを戻す制御などを実行して次回撮影を待機する。以上で一連の撮影動作が終了する。
【００２８】
（第１実施形態の効果）
第１実施形態では、撮影レンズ１００のイメージサークルの大きさに対応するレンズ側有効イメージサイズに基づいて、ＣＰＵ１６が撮像センサ９の撮影使用領域を設定する。したがって、第１実施形態の電子カメラでは、イメージサークルが異なる撮影レンズ１００のいずれにおいてもケラレのない撮影画像を得ることができる。また、撮影者が手動で撮影使用領域を設定する場合にも、ケラレの発生する設定ではモニタ１４に警告が表示されるので、ケラレの生じない撮影使用領域を設定できる。
【００２９】
さらに、第１実施形態の撮像センサ９は、撮影使用領域を含む部分領域の画像信号を画像処理部１１に出力する。したがって、第１実施形態では、有効画素領域すべての画像信号を出力する場合と比べて画像処理部１１の負荷が著しく減少し、電子カメラの連写速度の向上に寄与する。
さらにまた、第１実施形態では、撮影使用領域に対応する枠表示２５がファインダに表示される。したがって、撮影者は撮影使用領域（撮影画像のサイズ）を意識しつつ撮影時の構図を決定できるので、撮影者の意図に反して撮影画像の被写体が途切れてしまうような撮影失敗を少なくできる。
【００３０】
（第２実施形態の構成）
第２実施形態の電子カメラ（請求項２、４、５、６の電子カメラに対応する）は、装着された撮影レンズ１００のＭＴＦ特性データに基づいて、レンズ側有効イメージサイズを設定する例である。
図５は撮影レンズ１００のＭＴＦ特性を説明するための図である。ＭＴＦ特性は撮影レンズ１００のコントラスト再現性能を空間周波数特性で表現したものであり、図５の横軸が像高を示し、縦軸がコントラストの値を示す。ＭＴＦ特性は、像高が高くなるにつれて小さくなるとともに、空間周波数（１０本／ｍｍ、４０本／ｍｍなど）や方向により異なった傾向を示す。また、ＭＴＦ特性は撮影レンズ１００の焦点距離によっても変化する。
【００３１】
第２実施形態では、ＣＰＵ１６は所定の空間周波数に基づいてコントラスト値が閾値以下となる像高を演算する。そして、ＣＰＵ１６は、イメージサークルの半径より上記の像高が小さい場合には、該像高に基づいてレンズ側有効イメージサイズを設定する。なお、第２実施形態の電子カメラの構成は、上記のＣＰＵ１６の機能を除いて第１実施形態と共通であるので、他の構成部分の説明は省略する。
【００３２】
（第２実施形態の動作）
以下、第２実施形態の電子カメラの動作を図６の流れ図にしたがって説明する。なお、第２実施形態のステップＳ２０１、Ｓ２１２は、ステップＳ１０１、Ｓ１０９にそれぞれ対応するので説明を省略する。
ステップＳ２０２：カメラ本体２００のＣＰＵ１６は、本体側マウント２の電気接点を介して、撮影レンズ１００のレンズマイコン５からＭＴＦ特性データおよびイメージサークルデータを取得する。また、ＣＰＵ１６はＭＴＦ特性データに基づいて、コントラスト値が閾値以下となる像高を演算する。
【００３３】
ステップＳ２０３：ＣＰＵ１６は、像高（Ｓ２０２）がイメージサークルの半径未満か否かを判定する。半径未満の場合（ＹＥＳ側）には、ＣＰＵ１６はステップＳ２０４に移行する。一方、半径以上の場合（ＮＯ側）には、ＣＰＵ１６はステップＳ２０５に移行する。
ステップＳ２０４：この場合には、ケラレが生じないイメージサークルの範囲内であっても、その外周付近でコントラストの低下が顕著になる。そこで、ＣＰＵ１６は像高（Ｓ２０２）に基づいて、現在装着されている撮影レンズ１００のレンズ側有効イメージサイズを演算により取得する。
【００３４】
ステップＳ２０５：この場合には、ケラレが生じないイメージサークルの範囲内でコントラストの低下が問題となることはない。そこで、ＣＰＵ１６はイメージサークルデータに基づいて、現在装着されている撮影レンズ１００のレンズ側有効イメージサイズを演算により取得する。
ステップＳ２０６：ＣＰＵ１６は、撮影使用領域の設定が「自動モード」か否かを判定する。「自動モード」の場合（ＹＥＳ側）には、ＣＰＵ１６はステップＳ２０７に移行する。一方、「マニュアルモード」の場合（ＮＯ側）には、ＣＰＵ１６はステップＳ２０８に移行する。
【００３５】
ステップＳ２０７：ＣＰＵ１６は、撮影使用領域の対角長がレンズ側有効イメージサイズの直径以下となる条件で、撮影使用領域を自動設定する。同時にＣＰＵ１６は、撮影使用領域に対応する範囲の枠表示２５をＬＣＤ２１に行わせる制御信号を生成し、ファインダに枠表示２５を行う。その後、ＣＰＵ１６はステップＳ２１２に移行して撮影を行う。
ステップＳ２０８：撮影者は、カメラ本体２００に設けられた入力手段から、ＣＰＵ１６に撮影使用領域を入力する。同時にＣＰＵ１６は、撮影使用領域に対応する範囲の枠表示２５をＬＣＤ２１に行わせる制御信号を生成し、ファインダに枠表示２５を行う。
【００３６】
ステップＳ２０９：ＣＰＵ１６は、撮影者の設定した撮影使用領域がレンズ側有効イメージサイズをはみ出さないか否か（すなわち、撮影使用領域の対角長がレンズ側有効イメージサイズの直径以下か否か）を判定する。はみ出さない場合（ＹＥＳ側）には、ＣＰＵ１６はステップＳ２１２に移行して、入力された撮影使用領域での撮影を行う。一方、はみ出す場合（ＮＯ側）には、ＣＰＵ１６はステップＳ２１０に移行する。
【００３７】
ステップＳ２１０：ＣＰＵ１６は、入力された撮影使用領域が、レンズ側有効イメージサイズをはみ出す旨の警告表示と、撮影使用領域の再設定の有無を撮影者に確認する表示とを、モニタ１４に表示する。
ステップＳ２１１：ＣＰＵ１６は、撮影者が撮影使用領域の再設定を実行するか否かを判定する。再設定する場合（ＹＥＳ側）には、ＣＰＵ１６はステップＳ２０８に戻って撮影者による再入力を待機する。一方、再設定しない場合（ＮＯ側）には、ＣＰＵ１６はステップＳ２１２に移行して、入力された撮影使用領域での撮影を行う。なお、この場合には撮影画像にケラレ、または画像周辺部におけるコントラストの大幅な低下が発生するが、撮影者がこれらを許容しているので問題は生じない。
【００３８】
（第２実施形態の効果）
第２実施形態では、第１実施形態と同様の効果に加えて、レンズ側有効イメージサイズをＭＴＦ特性データに基づいて設定する。したがって、第２実施形態では、画像周辺部が著しくぼやけている撮影画像が撮影者の意図に反して発生しないという効果を奏する。
（第３実施形態の構成）
第３実施形態の電子カメラ（請求項３から請求項６の電子カメラに対応する）は、装着された撮影レンズ１００の周辺光量データに基づいて、レンズ側有効イメージサイズを設定する例である。
【００３９】
図７は撮影レンズの周辺光量の低下量（減光率）の特性を表した図である。撮影レンズ１００の光量は像高が大きくなるにつれて低下する。ここで、第３実施形態では、ＣＰＵ１６は撮影レンズ１００の光量が閾値以下となる像高を演算する。そして、ＣＰＵ１６は、イメージサークルの半径より上記の像高が小さい場合には、該像高に基づいてレンズ側有効イメージサイズを設定する。なお、第３実施形態の電子カメラの構成は、上記のＣＰＵ１６の機能を除いて第１実施形態と共通であるので、他の構成部分の説明は省略する。
【００４０】
（第３実施形態の動作）
以下、第３実施形態の電子カメラの動作を図８の流れ図にしたがって説明する。なお、第３実施形態のステップＳ３０１、Ｓ３０６〜Ｓ３１２は、ステップＳ２０１、Ｓ２０６〜Ｓ２１２にそれぞれ対応するので説明を省略する。
ステップＳ３０２：カメラ本体２００のＣＰＵ１６は、本体側マウント２の電気接点を介して、撮影レンズ１００のレンズマイコン５から周辺光量データおよびイメージサークルデータを取得する。また、ＣＰＵ１６は周辺光量データに基づいて、光量が閾値以下となる像高を演算する。
【００４１】
ステップＳ３０３：ＣＰＵ１６は、像高（Ｓ３０２）がイメージサークルの半径未満か否かを判定する。半径未満の場合（ＹＥＳ側）には、ＣＰＵ１６はステップＳ３０４に移行する。一方、半径以上の場合（ＮＯ側）には、ＣＰＵ１６はステップＳ３０５に移行する。
ステップＳ３０４：この場合には、ケラレが生じないイメージサークルの範囲内であっても、その外周付近で周辺光量落ちが顕著になる。そこで、ＣＰＵ１６は像高（Ｓ３０２）に基づいて、現在装着されている撮影レンズ１００のレンズ側有効イメージサイズを演算により取得する。
【００４２】
ステップＳ３０５：この場合には、ケラレが生じないイメージサークルの範囲内で周辺光量落ちが問題となることはない。そこで、ＣＰＵ１６はイメージサークルデータに基づいて、現在装着されている撮影レンズ１００のレンズ側有効イメージサイズを演算により取得する。
（第３実施形態の効果）
第３実施形態では、第１実施形態と同様の効果に加えて、レンズ側有効イメージサイズを周辺光量データに基づいて設定する。したがって、第３実施形態では、周辺光量落ちの顕著な撮影画像が撮影者の意図に反して発生しないという効果を奏する。
【００４３】
（請求項と実施形態との対応関係）
ここで、請求項と実施形態との対応関係を示しておく。なお、以下に示す対応関係はあくまで参考のために示した解釈であって、本発明の技術的範囲を限定するものではない。
「撮影レンズ」は撮影レンズ１００に対応する。「レンズデータ取得部」は本体側マウント２に対応する。「撮像センサ」は撮像センサ９に対応する。「画像処理部」は画像処理部１１に対応する。「画像サイズ設定手段」はＣＰＵ１６に対応する。「警告手段」はモニタ１４およびＣＰＵ１６に対応する。「ファインダ部」は、ファインダ光学系（拡散スクリーン１７、コンデンサレンズ１８、ペンタプリズム１９、接眼レンズ２０、ＬＣＤ２１、バックライト２２、ハーフミラー２３、２４）が対応する。
【００４４】
（実施形態の補足事項）
以上、本発明を上記の実施形態によって説明してきたが、本発明の技術的範囲は上記実施形態に限定されるものではない。例えば、レンズ側有効イメージサイズの演算するときに、ＣＰＵ１６はイメージサークルの大きさと、ＭＴＦ特性と、周辺光量の低下量とをすべて考慮してもよい。具体的には、ＣＰＵ１６は、イメージサークルの半径と、コントラスト値が閾値以下となる像高と、光量が閾値以下となる像高とを比較して、これらの最小の値に基づいてレンズ側有効イメージサイズを設定する。この場合には、ケラレ、画像外縁部のコントラスト低下、周辺光量落ちが発生しない良好な画像を得ることができる。
【００４５】
上記実施形態では、撮像センサ９は撮影使用領域を含む部分領域の画像信号を画像処理部１１に出力するが、有効画素領域すべての画像信号を画像処理部１１に出力してもよい。また、上記実施形態ではケラレ等の警告をモニタ１４に表示するが、ファインダ光学系のＬＣＤ２１によってファインダに警告表示をするようにしてもよい。さらに、ケラレ等の警告を音声等で撮影者に通知する構成としてもよい。
【００４６】
上記実施形態ではファインダ光学系を有する電子カメラの例を示したが、本発明の電子カメラでは、モニタによって被写界を表示する電子ファインダを用いてもよい。なお、電子ファインダで撮影使用領域を表示する場合は、モニタに撮影使用領域に対応する枠表示を行ってもよく、あるいはモニタを撮影使用領域に対応する範囲のみ表示するようにしてもよい。
【００４７】
また、ＣＰＵ１６は撮影使用領域の切り出し方向やアスペクト比などを任意に変更することもできる。例えば、図９に示すように、通常の撮影使用領域４０から切り出し方向を９０°ずらして撮影使用領域４３を設定し、電子カメラを正位置で構えたまま縦方向撮影できるようにしてもよい。また、通常の撮影使用領域４０よりも撮影使用領域４４のアスペクト比を横長に設定してパノラマの撮影画像を得られるようにしてもよい。
【産業上の利用可能性】
【００４８】
本発明では、交換レンズのイメージサイズの相違によるケラレ等を防止した電子カメラが実現できる。
【図面の簡単な説明】
【００４９】
【図１】第１実施形態の電子カメラの概要図である。
【図２】レンズ側有効イメージサイズと、撮像センサの撮影使用領域との関係を示す図である。
【図３】第１実施形態のファインダの被写界像を示す図である。
【図４】第１実施形態の電子カメラの動作を示す流れ図である。
【図５】撮影レンズのＭＴＦ特性の説明図である。
【図６】第２実施形態の電子カメラの動作を示す流れ図である。
【図７】撮影レンズの周辺光量の低下量（減光率）の特性図である。
【図８】第３実施形態の電子カメラの動作を示す流れ図である。
【図９】撮影使用領域の切り出し方向や、アスペクト比を変更した状態を示す図である。
【符号の説明】
【００５０】
１  レンズ側マウント
２  本体側マウント
３  レンズ系
４  絞り
５  レンズマイコン
６  鏡筒
７  クイックリターンミラー
８  フォーカルプレーンシャッタ
９  撮像センサ
９ａ  水平読み出し線
１０  Ａ／Ｄ変換部
１１  画像処理部
１２  メモリ
１３  記録媒体
１４  モニタ
１５  データバス
１６  ＣＰＵ
１７  拡散スクリーン
１８  コンデンサレンズ
１９  ペンタプリズム
２０  接眼レンズ
２１  ＬＣＤ
２２  バックライト
２３、２４  ハーフミラー
２５  枠表示
３０、３１、３２  レンズ側有効イメージサイズ
４０、４１、４２、４３、４４  撮影使用領域
１００  撮影レンズ
２００  カメラ本体
【図１】
2005277963.tif 000003
【図２】
2005277963.tif 000004
【図３】
2005277963.tif 000005
【図４】
2005277963.tif 000006
【図５】
2005277963.tif 000007
【図６】
2005277963.tif 000008
【図７】
2005277963.tif 000009
【図８】
2005277963.tif 000010
【図９】
2005277963.tif 000011